(57)【要約】【課題】通信制御装置の環境を判別し、それに応じた通信の制御を行うことのできる通信制御装置を提供する。【解決手段】通信制御装置２２は、ＩＰ通信網５を介して通信を行うサーバ６との通信を制御する通信制御部２２ｄと、ＩＰ通信網５側に接続するＩ／Ｆ２２ａと、端末装置２３と接続するＩ／Ｆ２２ｂと、警報端末装置２４と接続するＩ／Ｆ２２ｃとを備える。通信制御部２２ｄは、端末装置２３から送信される信号の有無により、Ｉ／Ｆ２２ｂに端末装置２３が接続されているか否かを判別する。【選択図】　図１
2004048504.tif 000002
【特許請求の範囲】
【請求項１】
端末装置と、該端末装置がネットワークを介して通信を行う相手装置との通信を制御する通信制御部と、
前記ネットワーク側に接続する第１のインタフェースと、
前記端末装置に接続する第２のインタフェースとを備え、
前記通信制御部は、前記端末装置から送信される信号の有無により、前記第２のインタフェースに前記端末装置が接続されているか否かを判別することを特徴とする通信制御装置。
【請求項２】
前記通信制御部は、前記判別結果に基づいて、前記端末装置に関する制御情報を使用した通信と、通信制御装置に関する制御情報を使用した通信とを切り替えることを特徴とする請求項１に記載の通信制御装置。
【請求項３】
前記通信制御部は、前記端末装置に関する制御情報を取得しておき、前記判別結果に基づいて、前記取得しておいた端末装置に関する制御情報を使用した通信を行うことを特徴とする請求項１に記載の通信制御装置。
【請求項４】
ネットワークを介して通信を行う相手装置との通信を制御する通信制御部と、
前記ネットワーク側に接続するインタフェースとを備え、
前記通信制御部は、前記インタフェースを介して、前記相手装置に信号を送信し、該信号に対する前記相手装置からの応答の有無により、前記相手装置との接続手順が必要か否かを判別することを特徴とする通信制御装置。
【請求項５】
前記通信制御部は、前記判別結果に基づいて、前記接続手順の実行を制御することを特徴とする請求項４に記載の通信制御装置。
【発明の詳細な説明】
【０００１】
【発明の属する技術分野】
本発明は、通信制御装置に関する。
【０００２】
【従来の技術】
従来、通信制御装置は、ＯＮＵ（Ｏｐｔｉｃａｌ　Ｎｅｔｗｏｒｋ　Ｕｎｉｔ）、ｘＤＳＬ（ｘＤｉｇｉｔａｌ　Ｓｕｂｓｃｒｉｂｅｒ　Ｌｉｎｅ）モデム、ＣＡＴＶ（Ｃｏｍｍｕｎｉｔｙ　Ａｎｔｅｎｎａ　　Ｔｅｌｅｖｉｓｉｏｎ）モデム、ＴＡ（Ｔｅｒｍｉｎａｌ　Ａｄａｐｔｅｒ）、ルータ、端末装置、警報端末装置等、複数の機器と接続し、通信システムを構成する。
【０００３】
例えば、通信制御装置が、端末装置と、警報端末装置と、ＯＮＵやＸＤＳＬ等と接続して構成する通信システムがある。このような通信システムの場合、通信制御装置は、端末装置からサーバ等の相手装置に送信されるパケットを監視することにより、端末装置のＩＰ（Ｉｎｔｅｒｎｅｔ　Ｐｒｏｔｏｃｏｌ）アドレスやＭＡＣ（ＭｅｄｉａＡｃｃｅｓｓ　Ｃｏｎｔｒｏｌ）アドレスを取得する。そして、通信制御装置は、取得した端末装置のＩＰアドレスやＭＡＣアドレスを使用して、警報端末装置からの警報を相手装置に通知する。
【０００４】
他にも、通信制御装置がルータと警報端末装置と接続し、端末装置がそのルータと接続して構成する通信システムがある。このような通信システムの場合、通信制御装置は、通信制御装置自身に設定されているＩＰアドレスやＭＡＣアドレスを使用して、警報端末装置からの警報を相手装置に通知する。
【０００５】
又、通信制御装置は、相手装置との間で通信を行う際に、相手装置によって、接続手順を行う必要がある場合と、その必要がない場合がある。そのため、通信制御装置には、接続する相手装置によって、予め接続手順を行うか否かが設定されている。
【０００６】
【発明が解決しようとする課題】
しかしながら、従来の通信制御装置は、端末装置が外されたり、電源が切られたり、故障したりしても、即ち、実質的に端末装置が通信制御装置に接続されていない状態になったとしても、それを判別することができなかった。そのため、通信制御装置は、環境の変化に対応することができないという問題点があった。例えば、通信制御装置は、接続されていた端末装置から取得していた端末装置のＩＰアドレスやＭＡＣアドレスを取得することができなくなり、警報端末装置からの警報を相手装置に通知できなくなる場合があった。
【０００７】
又、通信制御装置は、接続手順を行う必要があるか否かについて、判別することができなかった。そのため、通信制御装置には、相手装置等の環境に応じて、予め接続手順を行うか否かを設定しておく必要があった。よって、通信サービスに加入している加入者毎に通信制御装置の環境を考慮し、通信制御装置を設置する必要があるという問題点があった。その結果、工事者の負担が大きくなってしまっていた。
【０００８】
そこで、本発明は、通信制御装置の環境を判別し、それに応じた通信の制御を行うことのできる通信制御装置を提供することを目的とする。
【０００９】
【課題を解決するための手段】
本発明に係る通信制御装置は、端末装置と、端末装置がネットワークを介して通信を行う相手装置との通信を制御する通信制御部と、ネットワーク側に接続する第１のインタフェースと、端末装置に接続する第２のインタフェースとを備え、通信制御部は、端末装置から送信される信号の有無により、第２のインタフェースに端末装置が接続されているか否かを判別することを特徴とする。このような本発明によれば、通信制御部が、端末装置から送信される信号の有無により、第２のインタフェースに端末装置が接続されているかを判別する。そのため、通信制御装置は、通信制御装置に端末装置が接続されているかという、通信制御装置の環境を自動判別することができる。よって、通信制御部は、自動判別した環境に応じて、第１のインタフェースを介して行う相手装置との通信を制御することができる。
【００１０】
又、通信制御部は、判別結果に基づいて、端末装置に関する制御情報を使用した通信と、通信制御装置に関する制御情報を使用した通信とを切り替えることが好ましい。これによれば、通信制御装置は、通信制御装置に端末装置が接続されていても、接続されていなくても、相手装置との通信を行うことができる。例えば、通信制御装置は、端末装置が接続されているときは、端末装置に関する制御情報を使用し、端末装置になりすまして通信を行うことができる。一方、通信制御装置は、端末装置が接続されていないときは、通信制御装置自身に関する制御情報を使用し、通信制御装置自身として通信を行うことができる。
【００１１】
又、通信制御部は、端末装置に関する制御情報を取得しておき、判別結果に基づいて、取得しておいた端末装置に関する制御情報を使用した通信を行うようにしてもよい。これによれば、通信制御装置は、通信制御装置に端末装置が接続されなくなっても、相手装置との通信を行うことができる。具体的には、通信制御装置は、端末装置が接続されなくなってからも、端末装置から取得しておいた端末装置に関する制御情報を使用して、端末装置になりすました通信を継続することができる。又、通信制御装置に通信制御装置自身の制御情報の設定をしておく必要がなくなる。
【００１２】
又、本発明に係る通信制御装置は、ネットワークを介して通信を行う相手装置との通信を制御する通信制御部と、ネットワーク側に接続するインタフェースとを備える通信制御装置であって、通信制御部は、インタフェースを介して、相手装置に信号を送信し、その信号に対する相手装置からの応答の有無により、相手装置との接続手順が必要か否かを判別することを特徴とする。
【００１３】
このような本発明によれば、通信制御部が、信号に対する相手装置からの応答の有無により、相手装置との接続手順が必要か否かを判別する。そのため、通信制御装置は、相手装置が接続手順を必要とするものか否かという、通信制御装置の環境を自動判別することができる。よって、通信制御部は、自動判別した環境に応じて、インタフェースを介して行う相手装置との通信を制御することができる。
【００１４】
又、通信制御部は、判別結果に基づいて、接続手順の実行を制御することが好ましい。これによれば、通信制御装置は、環境に応じて接続手順を実行し、相手装置との通信を行うことができる。
【００１５】
【発明の実施の形態】
次に、本発明の実施の形態について、図面を参照しながら説明する。
【００１６】
［通信システムの構成］
図１に示すように、通信システム１ａは、加入者宅内システム２ａと、回線３と、回線収容装置４と、ＩＰ通信網５と、複数のサーバ６とから構成される。又、加入者宅内システム２ａは、通信装置２１と、通信制御装置２２と、端末装置２３と、警報端末装置２４と、ツイストペアケーブル２５，２６と、ケーブル２７とから構成される。
【００１７】
まず、ネットワーク側の構成について説明する。回線３は、加入者宅内システム２ａからＩＰ通信網５に接続するための物理回線である。回線３は、例えば、光ファイバー、２芯メタリックケーブル、同軸ケーブル、無線回線等を用いることができる。回線収容装置４は、回線３を収容する。ＩＰ通信網５は、ＩＰに従って通信を行うネットワークである。サーバ６は、加入者宅内システム２ａの端末装置２３や通信制御装置２２が、ＩＰ通信網５等のネットワークを介して通信を行う相手となる相手装置である。サーバ６は、例えば、加入者宅に設置されている警報端末装置２４からの情報を取得し、それに基づいて、警報端末装置２４に指示等を行い、加入者宅における火災、不審者の侵入等を発見し、加入者宅の警備を行う警備サービスの一部を担う。尚、相手装置は、サーバ６に限られず、個人ユーザが使用する端末装置等であってもよい。
【００１８】
次に、加入者宅内システム２ａについて説明する。加入者宅内システム２ａは、通信サービスに加入している加入者の宅内に設けられるシステムである。通信装置２１は、ＩＰ通信網５等のネットワークに接続して、相手装置であるサーバ６と信号の送受信を行う。通信装置は、例えば、ＯＮＵ、ｘＤＳＬ、ＣＡＴＶモデム等を用いることができる。通信装置は、回線３を介してＩＰ通信網５に接続する。又、通信装置は、ツイストペアケーブル２５を介して通信制御装置２２に接続する。
【００１９】
通信制御装置２２は、サーバ６等の相手装置との通信を制御する。通信制御装置２２は、ツイストペアケーブル２５を介して通信装置２１に接続する。通信制御装置２２は、ツイストペアケーブル２６を介して端末装置２３に接続する。このようにして、通信制御装置２２は、通信装置２１と端末装置２３との間に接続する。又、通信制御装置２２は、ケーブル２７を介して警報端末装置２４に接続する。端末装置２３は、加入者が使用する端末装置であり、例えば、パーソナルコンピュータ等を用いることができる。端末装置２３は、ＩＰ通信網５を介してサーバ６に信号を送信したり、サーバ６からの信号を受信したりして、サーバ６と通信を行う。端末装置２３は、ツイストペアケーブル２６を介して通信制御装置２２に接続する。
【００２０】
警報端末装置２４は、端末装置２３以外に通信制御装置２２に接続される他の端末装置である。警報端末装置２４は、加入者宅に設置され、加入者宅における火災や不審者の侵入等の異常を検出する。又、警報端末装置２４は、サーバ６からの指示に基づいて、加入者宅内の画像の送信や、加入者宅内に設置されている監視カメラの切り替え、所定の状況の確認等を行う。警報端末装置２４は、異常の検出結果等の警報や、サーバ６からの指示に基づく画像、状況の確認結果等の応答情報を、通信制御装置２２に送信して、通知する。又、警報端末装置２４は、サーバ６からの指示を、通信制御装置２２を介して取得する。警報端末装置２４は、ケーブル２７を介して通信制御装置２２に接続する。尚、警報端末装置２４に代えて、加入者の生存や健康状態を確認する介護端末装置や、加入者の生存にかかわる緊急通報を行う緊急通報端末装置等の福祉端末装置等を接続してもよい。警報端末装置２４や福祉端末装置のように、高い信頼性を要求される端末装置が、通信制御装置２２に接続される。
【００２１】
ツイストペアケーブル２５，２６は、通信制御装置２２と通信装置２１や端末装置２３とを接続する伝送路である。ツイストペアケーブル２５，２６は、イーサネット（Ｅｔｈｅｒｎｅｔ：登録商標）に用いられる１０／１００ＢＡＳＥ―Ｔケーブル、１０ＢＡＳＥ―Ｔケーブル、１００ＢＡＳＥ―Ｔケーブル、１００ＢＡＳＥ―ＴＸケーブル等を用いることができる。ケーブル２７は、警報端末装置２４と通信制御装置２２とを接続する伝送路である。
【００２２】
［通信制御装置の構成］
次に、通信制御装置２２について、より詳細に説明する。図１に示すように、通信制御装置２２は、インタフェース（以下「Ｉ／Ｆ」と表す）２２ａと、Ｉ／Ｆ２２ｂと、Ｉ／Ｆ２２ｃと、通信制御部２２ｄとから構成される。Ｉ／Ｆ２２ａは、ＩＰ通信網５等のネットワーク側に接続する。具体的には、Ｉ／Ｆ２２ａは、ＯＮＵ、ｘＤＳＬモデム、ＣＡＴＶモデム等の通信装置２１に接続する。又、Ｉ／Ｆ２２ａは、通信制御部２２ｄに接続する。そして、Ｉ／Ｆ２２ａは、通信制御部２２ｄから、端末装置２３や通信制御装置２２がサーバ６に送信する信号を取得し、通信装置２１に伝送する。又、Ｉ／Ｆ２２ａは、サーバ６から送信され、通信装置２１が受信した信号を取得し、通信制御部２２ｄに伝送する。
【００２３】
Ｉ／Ｆ２２ｂは、端末装置２３に接続する。又、Ｉ／Ｆ２２ｂは、通信制御部２２ｄに接続する。そして、Ｉ／Ｆ２２ｂは、端末装置２３から送信される信号を取得し、通信制御部２２ｄに伝送する。又、Ｉ／Ｆ２２ｂは、サーバ６や通信制御装置２２から端末装置２３に送信された信号を、通信制御部２２ｄから取得し、端末装置２３に伝送する。
【００２４】
Ｉ／Ｆ２２ｃは、警報端末装置２４に接続する。又、Ｉ／Ｆ２２ｃは、通信制御部２２ｄに接続する。そして、Ｉ／Ｆ２２ｃは、警報端末装置２４から、警報や応答情報を取得し、通信制御部２２ｄに伝送する。又、Ｉ／Ｆ２２ｃは、サーバ６や通信制御装置２２から警報端末装置２４に送信された信号を、通信制御部２２ｄから取得し、警報端末装置２４に伝送する。
【００２５】
通信制御部２２ｄは、端末装置２３と、端末装置２３がＩＰ通信網５等のネットワークを介して通信を行うサーバ６等の相手装置との通信を制御する。通信制御部２２ｄは、Ｉ／Ｆ２２ｂに、端末装置２３が接続されているか否かを判別する（以下、この機能を「接続状況自動判別機能」という）。又、通信制御部２２ｄは、端末装置２３が接続されているか否かの判別結果に基づいて、端末装置２３に関する制御情報を使用した通信（以下「なりすましモード」という）と、通信制御装置２２自身に関する制御情報を使用した通信（以下「ＩＰ取得モード」という）とを切り替える。以下、このように、通信制御部２２ｄが、Ｉ／Ｆ２２ｂに端末装置２３が接続されているか否かを自動的に判別し、なりすましモードとＩＰ取得モードとを切り替える動作を、自動判別モードという。よって、通信制御装置２２には、動作モードとして、なりすましモード、ＩＰ取得モード、自動判別モードを設定することができる。そして、通信制御部２２ｄは、設定された動作モードに従って、動作する。
【００２６】
又、通信制御部２２ｄは、サーバ６等の相手装置との通信のために、接続手順や認証手順が必要か否かを判別する（以下、この機能を「接続手順自動判別機能」という）。そして、通信制御部２２ｄは、接続手順や認証手順が必要か否かの判別結果に基づいて、接続手順や認証手順の実行を制御する。尚、通信制御装置２２は、このような接続手順や認証手順が必要か否かを自動的に判別するように設定する（以下、この設定を「自動判別」という）だけでなく、予め、接続手順や認証手順を行わないように設定したり（以下、この設定を「無固定」という）、接続手順や認証手順を行うように設定したり（以下、この設定を「有固定」という）することもできる。以下、なりすましモード、ＩＰ取得モード、接続状況自動判別機能、モード切り替え、接続手順自動判別機能、接続手順の制御について、詳細に説明する。
【００２７】
〔なりすましモード／ＩＰ取得モード／接続状況自動判別機能／モード切り替え〕
（なりすましモード）
通信制御装置２２は、Ｉ／Ｆ２２ｂに端末装置２３が接続されているときや、なりすましモードに設定されているときは、なりすましモードで動作する。通信制御部２２ｄは、Ｉ／Ｆ２２ｂを介して、端末装置２３からサーバ６に宛てたパケットを含む信号を取得する。又、通信制御部２２ｄは、Ｉ／Ｆ２２ａを介して、サーバ６から端末装置２３に宛てたパケットを含む信号を取得する。通信制御部２２ｄは、そのような端末装置２３が送受信するパケットを監視する。具体的には、通信制御部２２ｄは、そのパケットから、端末装置２３に関する制御情報を取得する。端末装置２３に関する制御情報としては、端末装置２３に設定されているＩＰアドレスやＭＡＣアドレス等がある。
【００２８】
通信制御部２２ｄは、Ｉ／Ｆ２２ｃを介して警報端末装置２４から取得した警報や応答情報を、ＩＰ通信網５を介してサーバ６に送信して、通知する。その際に、通信制御部２２ｄは、端末装置２３から取得したＩＰアドレスやＭＡＣアドレス等の端末装置２３に関する制御情報を使用して、警報や応答情報をサーバ６に送信する。そのため、通信制御装置２２は、通信装置２１やサーバ６からは、端末装置２３になりすまして通信を行っているように見える。
【００２９】
このようななりすましモードによれば、通信制御装置２２に、ＩＰアドレスやＭＡＣアドレスが設定されていなくても、端末装置２３にＩＰアドレス、ＭＡＣアドレスが設定されていれば、ＩＰ通信網５を介してサーバ６と通信ができる。よって、通信制御装置２２にＩＰアドレスやＭＡＣアドレスの設定を行うことなく、ＩＰ通信網５に接続されたサーバ６と通信が可能となる。
【００３０】
（ＩＰ取得モード）
通信制御装置２２は、Ｉ／Ｆ２２ｂに端末装置２３が接続されていないときや、ＩＰ取得モードに設定されているときは、ＩＰ取得モードで動作する。ここで、端末装置２３が接続されていないときとは、図２に示すように、端末装置２３が実際に外されている加入者宅内システム２ｂを備える通信システム１ｂのような場合だけでなく、端末装置２３の電源が切られていたり、故障していたりして、端末装置２３が動作していない状態、即ち、実質的に端末装置２３が通信制御装置２２に接続されていない状態も含む。
【００３１】
Ｉ／Ｆ２２ｂに端末装置２３が接続されていないときは、通信制御装置２２は、端末装置２３が送受信するパケットから、端末装置２３に関する制御情報を取得することができない。そのため、通信制御部２２ｄは、通信制御装置２２自身に関する制御情報を使用して、警報端末装置２４から取得した警報や応答情報を、ＩＰ通信網５を介してサーバ６に送信する。即ち、通信制御装置２２は、通信制御装置２２自身として通信を行う。
【００３２】
通信制御装置２２自身に関する制御情報には、ＩＰアドレスやＭＡＣアドレスがある。ＩＰアドレスやＭＡＣアドレス等の通信制御装置２２自身に関する制御情報は、予め通信制御装置２２に設定しておくことができる。この場合、通信制御部２２ｄは、その設定されているＩＰアドレスやＭＡＣアドレスを使用する。又、通信制御装置２２自身に関する制御情報は、通信制御装置２２に設定しておかず、通信制御装置２２が、ＤＨＣＰ（Ｄｙｎａｍｉｃ　Ｈｏｓｔ　Ｃｏｎｆｉｇｕｒａｔｉｏｎ　Ｐｒｏｔｏｃｏｌ）等により、ＩＰアドレスの割り当てを受けるようにしてもよい。この場合、通信制御部２２ｄは、その割り当てられたＩＰアドレス等を使用する。このようなＩＰ取得モードによれば、通信制御装置２２に、端末装置２３が接続されていないときであっても、ＩＰ通信網５を介してサーバ６と通信ができる。
【００３３】
（接続状況自動判別機能／モード切り替え）
上記したように、通信制御装置２２と通信装置２１や端末装置２３とは、ツイストペアケーブル２５，２６により接続されている。図３に、ツイストペアケーブル２５，２６を介した通信装置２１と、通信制御装置２２と、端末装置２３との接続状態を、信号のやりとりに着目して示す。端末装置２３の通信制御装置２２とのＩ／Ｆ２３ａは、ＴＤ（Ｔｒａｎｓｍｉｔ　Ｄａｔａ）＋回路２３１と、ＴＤ−回路２３２と、ＲＤ（Ｒｅｃｅｉｖｅ　Ｄａｔａ）＋回路２３３と、ＲＤ−回路２３４とを備える。同様に、通信制御装置２２の端末装置２３とのＩ／Ｆ２２ｂは、ＴＤ＋回路２２１ｂと、ＴＤ−回路２２２ｂと、ＲＤ＋回路２２３ｂと、ＲＤ−回路２２４ｂとを備える。又、通信装置２１とのＩ／Ｆ２２ａは、ＴＤ＋回路２２１ａと、ＴＤ−回路２２２ａと、ＲＤ＋回路２２３ａと、ＲＤ−回路２２４ａとを備える。
【００３４】
そして、通信制御装置２２と端末装置２３は、相互に、通信制御装置２２と端末装置２３との間の接続状態を監視するために、リンクテスト（Ｌｉｎｋ　Ｉｎｔｅｇｒｉｔｙ　Ｔｅｓｔ）を行う。具体的には、端末装置２３のＴＤ＋回路２３１やＴＤ−回路２３２は、データの送受信を行っていない間も定期的に、ＴＤ信号７ａ，７ｂ上にリンクパルス７ｃと呼ばれるパルス信号を送信する。そして、通信制御装置２２のＴＤ＋回路２２１ｂやＴＤ−回路２２２ｂは、端末装置２３から送信されるＴＤ信号７ａ，７ｂ上のリンクパルス７ｃを受信する。ＴＤ＋回路２２１ｂやＴＤ−回路２２２ｂは、受信したリンクパルス７ｃを、通信制御部２２ｄに伝送する。よって、通信制御部２２ｄは、端末装置２３から送信されるリンクパルス７ｃの有無により、即ち、リンクパルス７ｃを受信したか否かにより、端末装置２３のＩ／Ｆ２３ａと通信制御装置２２のＩ／Ｆ２２ｂとの間にリンクが確立しているか否かを判別する。
【００３５】
尚、リンクパルス７ｃ以外に、通信制御装置２２のＴＤ＋回路２２１ｂやＴＤ−回路２２２ｂは、端末装置２３のＴＤ＋回路２３１やＴＤ−回路２３２から送信されるフレームデータを含む信号を受信し、通信制御部２２ｄに伝送することができる。よって、通信制御部２２ｄは、端末装置２３から送信されるフレームデータを含む信号の有無により、即ち、フレームデータを含む信号を受信したか否かにより、端末装置２３のＩ／Ｆ２３ａと通信制御装置２２のＩ／Ｆ２２ｂとの間にリンクが確立しているか否かを判別できる。そして、通信制御部２２ｄは、端末装置２３のＩ／Ｆ２３ａと通信制御装置２２のＩ／Ｆ２２ｂとの間にリンクが確立しているか否かにより、Ｉ／Ｆ２２ｂに、端末装置２３が接続されているか否かを、自動的に判別できる。
【００３６】
通信制御部２２ｄは、Ｉ／Ｆ２２ｂに、端末装置２３が接続されているか否かの判別結果に基づいて、なりすましモードによる動作と、ＩＰ取得モードによる動作を切り替える。具体的には、通信制御部２２ｄは、上記したように、リンクパルス７ｃやフレームデータを用いて、端末装置２３のＩ／Ｆ２３ａと通信制御装置２２のＩ／Ｆ２２ｂとの間にリンクが確立しているかを監視している。そのため、通信制御部２２ｄは、監視中に、端末装置２３のＩ／Ｆ２３ａと通信制御装置２２のＩ／Ｆ２２ｂとの間に確立されていたリンクが切断されて、Ｉ／Ｆ２２ｂに、端末装置２３が接続されていないと判別した場合、なりすましモードからＩＰ取得モードに切り替える。
【００３７】
反対に、通信制御部２２ｄは、監視中に、端末装置２３のＩ／Ｆ２３ａと通信制御装置２２のＩ／Ｆ２２ｂとの間のリンクが切断されている状態から、リンクが確立されて、Ｉ／Ｆ２２ｂに、端末装置２３が接続されていると判別した場合、ＩＰ取得モードからなりすましモードに切り替える。
【００３８】
尚、通信制御装置２２のＲＤ＋回路２２３ｂやＲＤ−回路２２４ｂも、同様に、定期的にＲＤ信号８ａ，８ｂ上にリンクパルス８ｃを送信する。そして、端末装置２３のＲＤ＋回路２３３やＲＤ−回路２３４は、通信制御装置２２から送信されるＲＤ信号８ａ，８ｂ上のリンクパルス８ｃを受信する。よって、端末装置２３は、通信制御装置２２から送信されるリンクパルス８ｃの有無により、端末装置２３のＩ／Ｆ２３ａと通信制御装置２２のＩ／Ｆ２２ｂとの間にリンクが確立しているか否かを判別できる。又、通信制御装置２２の通信装置２１とのＩ／Ｆ２２ａのＴＤ＋回路２２１ａ、ＴＤ−回路２２２ａもリンクパルスを含むＴＤ信号９ａ，９ｂを送信する。又、ＲＤ＋回路２２３ａ、ＲＤ−回路２２４ａも、リンクパルスを含むＲＤ信号１０ａ，１０ｂを受信する。そして、同様に、通信制御装置２２は、通信装置２１との間でリンクテストを行う。
【００３９】
〔接続手順自動判別機能／接続手順の制御〕
サーバ６には、通信を行う際に、ＰＰＰ（Ｐｏｉｎｔ　ｔｏ　ｐｏｉｎｔ）、ＰＰＰｏＥ（Ｐｏｉｎｔ　ｔｏ　ｐｏｉｎｔ　Ｏｖｅｒ　Ｅｔｈｅｒｎｅｔ（登録商標））、ＰＰＰｏＡ（Ｐｏｉｎｔ　ｔｏ　ｐｏｉｎｔ　Ｏｖｅｒ　Ａｓｙｎｃｈｒｏｎｏｕｓ　Ｔｒａｎｓｆｅｒ　Ｍｏｄｅ）等を用いて接続手順や認証手順を実行する必要があるものと、必要がないものとがある。そのため、加入者宅内システム２ａが、ＩＰ通信網５を介してサーバ６と通信を行う際に、接続手順や認証手順を実行する場合と実行しない場合がある。通信制御装置２２は、接続手順や認証手順を実行する必要があるサーバ６と通信を行う場合であって、端末装置２３とリンクを確立していない場合には、自らが接続手順や認証手順を実行する。尚、通信制御装置２２は、接続手順を実行する必要があるサーバ６と通信を行う場合であっても、端末装置２３とリンクを確立していれば、端末装置２３がサーバ６と接続手順や認証手順を実行するため、接続手順や認証手順を実行する必要はない。
【００４０】
まず、通信制御装置２２が、サーバ６と行う接続手順、認証手順について、ＰＰＰｏＥを例にとって説明する。図４は、ＰＰＰｏＥのディスカバリステージを示すシーケンス図である。ディスカバリステージは、ＰＰＰｏＥセッションを確立し、サーバ６と接続するための接続手順（接続シーケンス）である。ＰＰＰｏＥセッション確立のための動作は、通信制御装置２２から開始する。まず、通信制御装置２２は、ＩＰ通信網５を介してサーバ６に、ブロードキャストアドレスのＰＡＤＩ（ＰＰＰｏＥ　Ａｃｔｉｖｅ　Ｄｉｓｃｏｖｅｒｙ　Ｉｎｉｔｉａｔｉｏｎ）パケットを含む信号を送信する（Ｓ１０１）。
【００４１】
ＰＡＤＩパケットを受信したサーバ６は、ＰＡＤＯ（ＰＰＰｏＥ　Ａｃｔｉｖｅ　Ｄｉｓｃｏｖｅｒｙ　Ｏｆｆｅｒ）パケットを含む信号を、ＩＰ通信網５を介して返信する（Ｓ１０２）。通信制御装置２２は、返信してきたサーバ６のＭＡＣアドレスに、ユニキャストアドレスのＰＡＤＲ（ＰＰＰｏＥ　Ａｃｔｉｖｅ　Ｄｉｓｃｏｖｅｒｙ　Ｒｅｑｕｅｓｔ）パケットを含む信号を、ＩＰ通信網５を介して送信する（Ｓ１０３）。ＰＡＤＲパケットを受信したサーバ６は、セッションＩＤを含むＰＡＤＳ（ＰＰＰｏＥ　Ａｃｔｉｖｅ　ＤｉｓｃｏｖｅｒｙＳｅｓｓｉｏｎ　Ｃｏｎｆｉｒｍａｔｉｏｎ）パケットを、ＩＰ通信網５を介して返信する（Ｓ１０４）。これにより、サーバ６は、セッションＩＤを通信制御装置２２に発行する。通信制御装置２２が、ＰＡＤＳパケットを受信することにより、ＰＰＰｏＥセッションが確立し、ディスカバリステージが終了する。次に、通信制御装置２２は、ＰＰＰｏＥセッションステージへ進み、ＰＡＰ（Ｐａｓｓｗｏｒｄ　Ａｕｔｈｅｎｔｉｃａｔｉｏｎ　Ｐｒｏｔｏｃｏｌ）、ＣＨＡＰ（Ｃｈａｌｌｅｎｇｅ　Ｈａｎｄｓｈａｋｅ　Ａｕｔｈｅｎｔｉｃａｔｉｏｎ　Ｐｒｏｔｏｃｏｌ）等の認証手順（認証シーケンス）を実行する。
【００４２】
次に、通信制御部２２ｄが、サーバ６等の相手装置との通信のために、このような接続手順や認証手順が必要か否かの判別について説明する。図５に示すように、通信制御部２２ｄは、Ｉ／Ｆ２２ａを介して、サーバ６にＰＡＤＩパケットを含む信号をブロードキャストアドレスで送信する（Ｓ２０１）。通信制御部２２ｄは、ＰＡＤＩパケットを含む信号に対するサーバ６からの応答、即ち、ＰＡＤＯパケットの返信を、一定時間待つ（Ｓ２０２）。
【００４３】
通信制御部２２ｄは、このサーバ６からの応答、即ち、ＰＡＤＯパケットの返信の有無により、サーバ６との接続手順が必要か否かを判別する。ステップ（Ｓ２０２）において、通信制御部２２ｄは、サーバ６からのＰＡＤＯパケットの返信があれば、そのＰＡＤＯパケットを、ＩＰ通信網５を介して受信する（Ｓ２０３）。通信制御部２２ｄは、このようにサーバ６からＰＡＤＩパケットを含む信号に対する応答があった場合には、接続手順が必要と判別する。そして、通信制御部２２ｄは、その判別結果に基づいて、接続手順を実行するよう制御する。具体的には、通信制御部２２ｄは、ステップ（Ｓ２０３）に続く、ディスカバリステージのステップ（Ｓ２０４），（Ｓ２０５）を行うよう制御する。尚、ステップ（Ｓ２０４），（Ｓ２０５）は、ステップ（Ｓ１０３），（Ｓ１０４）と同様である。
【００４４】
一方、ステップ（Ｓ２０２）において、通信制御部２２ｄは、一定時間内にサーバ６からのＰＡＤＯパケットの返信がない場合には、即ち、サーバ６からＰＡＤＩパケットを含む信号に対する応答がない場合には、接続手順は必要ないと判別する。そして、通信制御部２２ｄは、その判別結果に基づいて、接続手順を実行せずに、ＬＡＮ（Ｌｏｃａｌ　Ａｒｅａ　Ｎｅｔｗｏｒｋ）プロトコルによるデータ通信（以下、「ＬＡＮ通信」という）を開始するよう制御する。具体的には、通信制御部２２ｄは、ＬＡＮデータパケットを含む信号をサーバ６に送信する（Ｓ２０６）。
【００４５】
又、図６に示すように、通信制御部２２ｄは、まず、Ｉ／Ｆ２２ａを介して、サーバ６にＬＡＮデータパケットを含む信号を送信してもよい（Ｓ３０１）。この場合も、通信制御部２２ｄは、ＬＡＮデータパケットを含む信号に対するサーバ６からの応答、即ち、ＬＡＮデータパケットの返信を、一定時間待つ（Ｓ３０２）。そして、通信制御部２２ｄは、このサーバ６からの応答、即ち、ＬＡＮデータパケットの返信の有無により、サーバ６との接続手順が必要か否かを判別する。ステップ（Ｓ３０２）において、通信制御部２２ｄは、サーバ６からのＬＡＮデータパケットの返信があれば、そのＬＡＮデータパケットを、ＩＰ通信網５を介して受信する（Ｓ３０３）。通信制御部２２ｄは、このようにサーバ６からＬＡＮデータパケットを含む信号に対する応答があった場合には、接続手順は必要ないと判別する。そして、通信制御部２２ｄは、その判別結果に基づいて、接続手順を実行せずにＬＡＮ通信を継続するよう制御する（Ｓ３０４）。
【００４６】
一方、ステップ（Ｓ３０２）において、通信制御部２２ｄは、一定時間内にサーバ６からのＬＡＮデータパケットの返信がない場合には、即ち、サーバ６からＬＡＮデータパケットを含む信号に対する応答がない場合には、接続手順が必要と判別する。そして、通信制御部２２ｄは、その判別結果に基づいて、接続手順を実行するよう制御する。具体的には、通信制御部２２ｄは、ディスカバリステージのステップ（Ｓ３０５）〜（Ｓ３０８）を行うよう制御する。尚、ステップ（Ｓ３０５）〜（Ｓ３０８）は、ステップ（Ｓ１０１）〜（Ｓ１０４）と同様である。
【００４７】
［通信方法］
次に、通信制御装置２２が行う通信方法を説明する。図７は、通信制御装置２２が使用する制御情報を決定する手順を示すフロー図である。自動判別モードが設定されている場合、通信制御装置２２は、動作を開始した際に、自動判別モードに進み、通信制御装置２２のＩ／Ｆ２２ｂに端末装置２３が接続されているかを自動的に判別する（Ｓ４０１）。ステップ（Ｓ４０１）において、通信制御装置２２のＩ／Ｆ２２ｂに端末装置２３が接続されている場合には、なりしますモードに進む（Ｓ４０２）。一方、ステップ（Ｓ４０１）において、通信制御装置２２のＩ／Ｆ２２ｂに端末装置２３が接続されていない場合には、ＩＰ取得モードに進む（Ｓ４０３）。
【００４８】
尚、予め、動作モードとしてなりすましモードが設定されている場合には、通信制御装置２２は、動作を開始した際に、なりすましモードに進み（Ｓ４０２）、ＩＰ取得モードが設定されている場合には、通信制御装置２２は、ＩＰ取得モード（Ｓ４０３）に進む。
【００４９】
通信制御装置２２は、なりすましモード（Ｓ４０２）に進んだ場合には、端末装置２３が送受信するパケットを監視し、ＩＰアドレスやＭＡＣアドレス等の端末装置２３に関する制御情報を取得する（Ｓ４０４）。一方、　通信制御装置２２は、ＩＰ取得モード（Ｓ４０３）に進んだ場合には、ＩＰアドレスやＭＡＣアドレス等の通信制御装置２２自身に関する制御情報が予め手動設定されているか、ＤＨＣＰ等により割り当てを受けるのかを判断する（Ｓ４０５）。ステップ（Ｓ４０５）において、通信制御装置２２は、ＤＨＣＰ等により、通信制御装置２２自身に関する制御情報の割り当てを受けると判断した場合には、ＩＰアドレスの割り当てを受けて、ＩＰアドレス等を取得する（Ｓ４０６）。一方、通信制御装置２２は、予め制御情報が通信制御装置２２に手動設定されていると判断した場合、その設定されているＩＰアドレスやＭＡＣアドレスをそのまま使用すると決定する（Ｓ４０７）。
【００５０】
通信制御装置２２は、使用する制御情報を決定した後は、接続手順、認証手順の決定を行い、通信を開始する。図８は、接続手順、認証手順の決定から通信開始までの手順を示すフロー図である。図８は、図７中Ａに続く動作を示している。尚、通信制御装置２２は、通信制御装置２２を設置する通信システムの環境により、ＰＰＰｏＥ、ＰＰＰ、ＰＰＰｏＡ等の有無、即ち、これらのプロトコルを基本的に利用するか否かの初期設定を行っておく。又、通信制御装置２２は、接続手順や認証手順が必要か否かを自動的に判別する自動判別、接続手順や認証手順を行わない無固定、接続手順や認証手順を行う有固定のいずれで動作するかについても、設定しておく。
【００５１】
まず、通信制御装置２２は、初期設定がＰＰＰｏＥ、ＰＰＰ、ＰＰＰｏＡ等を利用するか否か、どちらに設定されているかを判断する（Ｓ５０１）。ステップ（Ｓ５０１）において、ＰＰＰｏＥ、ＰＰＰ、ＰＰＰｏＡ等を利用しないという初期設定がされていた場合、通信制御装置２２は、自動判別か無固定のいずれで動作するよう設定されているかを判断する（Ｓ５０２）。ステップ（Ｓ５０２）において、通信制御装置２２は、無固定に設定されていると判断した場合には、そのまま接続手順や認証手順を行わずに、通常のＬＡＮ通信を行い（Ｓ５０５）、警報端末装置２４からの警報の通知等の通信を開始する（Ｓ５１２）。
【００５２】
一方、ステップ（Ｓ５０２）において、通信制御装置２２は、自動判別に設定されていると判断した場合には、ＬＡＮデータパケットを含む信号を、ＩＰ通信網５を介してサーバ６に送信する（Ｓ５０３）。通信制御装置２２は、ＬＡＮデータパケットの返信があるか否かを判断する（Ｓ５０４）。ステップ（Ｓ５０４）において、ＬＡＮデータパケットの返信があった場合（ＬＡＮ通信ＯＫの場合）には、通信制御装置２２は、そのまま接続手順や認証手順を行わずに、通常のＬＡＮ通信を行い（Ｓ５０５）、通信を開始する（Ｓ５１２）。
【００５３】
それに対し、ステップ（Ｓ５０４）において、一定時間内にＬＡＮデータパケットの返信がない場合（ＬＡＮ通信ＮＧの場合）には、通信制御装置２２は、図８中Ｂに進み、ＰＰＰｏＥによるディスカバリステージ等のサーバ６との接続手順を行う（Ｓ５０７）。次に、通信制御装置２２は、ＰＰＰｏＥセッションステージ等へ進み、ＰＡＰ、ＣＨＡＰ等の認証手順を実行する（Ｓ５１０）。そして、通信制御装置２２は、ＰＰＰｏＥ、ＰＰＰ、ＰＰＰｏＡ等を利用した通信を行い（Ｓ５１１）、通信を開始する（Ｓ５１２）。
【００５４】
又、ステップ（Ｓ５０１）において、ＰＰＰｏＥ、ＰＰＰ、ＰＰＰｏＡ等を利用するという初期設定がされていた場合、通信制御装置２２は、自動判別か有固定のいずれで動作するよう設定されているかを判断する（Ｓ５０６）。ステップ（Ｓ５０６）において、通信制御装置２２は、有固定に設定されていると判断した場合には、ＰＰＰｏＥによるディスカバリステージ等のサーバ６との接続手順を行い（Ｓ５０７）、ＰＰＰｏＥセッションステージ等へ進み、ＰＡＰ、ＣＨＡＰ等の認証手順を実行する（Ｓ５１０）。そして、通信制御装置２２は、ＰＰＰｏＥ、ＰＰＰ、ＰＰＰｏＡ等を利用した通信を行い（Ｓ５１１）、通信を開始する（Ｓ５１２）。
【００５５】
一方、ステップ（Ｓ５０６）において、通信制御装置２２は、自動判別に設定されていると判断した場合には、ＩＰ通信網５を介してサーバ６にＰＡＤＩパケットを含む信号等を送信し、ディスカバリステージ等の接続手順を開始する（Ｓ５０８）。通信制御装置２２は、ＰＡＤＯパケットの返信等、ステップ（Ｓ５０８）で送信した信号に対する応答があるか否かを判断する（Ｓ５０９）。ステップ（Ｓ５０９）において、ＰＡＤＯパケットの返信等の応答があった場合（認証手順ＯＫの場合）には、通信制御装置２２は、そのままディスカバリステージ等の認証手順を継続する。そして、通信制御装置２２は、ＰＰＰｏＥセッションステージ等へ進み、ＰＡＰ、ＣＨＡＰ等の認証手順を実行する（Ｓ５１０）。そして、通信制御装置２２は、ＰＰＰｏＥ、ＰＰＰ、ＰＰＰｏＡ等を利用した通信を行い（Ｓ５１１）、通信を開始する（Ｓ５１２）。
【００５６】
一方、ステップ（Ｓ５０９）において、一定時間内に、ＰＡＤＯパケットの返信等の応答がない場合（認証手順ＮＧの場合）には、通信制御装置２２は、ディスカバリステージ等の認証手順を中止し、通常のＬＡＮ通信を行い（Ｓ５０５）、通信を開始する（Ｓ５１２）。
【００５７】
尚、通信制御装置２２は、図７、図８のフローの途中、あるいは通信開始以後も、端末装置２３との接続状況を定期的に繰り返し確認するようにする。これにより、通信制御装置２２に端末装置２３が接続されていない状態から接続された状態に変わったときには、自動判別モードの処理により、なりすましモードに切り替えることができる。逆に、通信制御装置２２に端末装置２３が接続された状態から接続されない状態に変わったときには、ＩＰ取得モードに切り替えることができる。
【００５８】
［効果］
このような本実施形態に係る通信システム１ａ，１ｂ、通信制御装置２２、通信方法によれば、通信制御部２２ｄが、端末装置２３から送信される信号の有無により、Ｉ／Ｆ２２ｂに端末装置２３が接続されているかを判別する。そのため、通信制御装置２２は、通信制御装置２２に端末装置２３が接続されているかという、通信制御装置２２の環境を自動判別することができる。よって、通信制御部２２ｄは、自動判別した環境に応じて、Ｉ／Ｆ２２ａを介して行うサーバ６との通信を制御することができる。
【００５９】
又、通信制御部２２ｄは、Ｉ／Ｆ２２ｂに端末装置２３が接続されているか否かの判別結果に基づいて、なりすましモードと、ＩＰ取得モードを切り替えることができる。そのため、通信制御装置２２は、通信制御装置２２に端末装置２３が接続されていても、接続されていなくても、サーバ６との通信を行うことができる。
【００６０】
又、通信制御部２２ｄは、サーバ６送信した信号に対するサーバ６からの応答の有無により、サーバ６との接続手順や認証手順が必要か否かを判別する。そのため、通信制御装置２２は、サーバ６が接続手順や認証手順を必要とするものか否かという、通信制御装置２２の環境を自動判別することができる。よって、通信制御部２２ｄは、自動判別した環境に応じて、Ｉ／Ｆ２２ａを介して行うサーバ６との通信を制御することができる。そして、通信制御装置２２は、環境に応じて接続手順を実行し、サーバ６との通信を行うことができる。
【００６１】
以上のように、通信制御装置２２は、通信制御装置２２の環境、即ち、加入者宅内システム２ａ，２ｂの環境を自動判別できる。その結果、通信制御装置２２は、既存の加入者宅内システム２ａ，２ｂの環境に左右されずに設置できる。又、通信制御装置２２は、既存の加入者宅内システム２ａ，２ｂで利用しているプロトコルを意識することなく、利用できる。又、通信制御装置２２の設置工事において、煩わしい設定を行う必要がない。更に、通信制御装置２２は、警報端末装置２４を接続することが可能である。
【００６２】
［変更例］
尚、本発明は、上記実施形態に限定されるものではなく、種々の変更が可能である。
【００６３】
〔変更例１〕
通信制御部２２ｄは、端末装置２３がＩ／Ｆ２２ｂに接続されている間に、端末装置２３が送受信するパケットを含む信号を監視し、ＩＰアドレスやＭＡＣアドレス等の端末装置２３に関する制御情報を取得しておくようにしてもよい。そして、通信制御部２２ｄは、端末装置２３がＩ／Ｆに接続されていないと判別した場合には、取得しておいた端末装置２３に関する制御情報を使用した通信を行うよう制御する。これによれば、通信制御装置２２は、通信制御装置２２に端末装置２３が接続されなくなっても、なりすましモードで、サーバ６との通信を継続することができる。そのため、通信制御装置２２にＩＰアドレスやＭＡＣアドレスの設定を全く行わなくても、ＩＰ通信網５に接続されたサーバ６との通信が可能となる。
【００６４】
〔変更例２〕
図９は、加入者宅内システム１０２ａを備える通信システム１０１ａである。通信システム１０１ａのネットワーク側の構成は、図１と実質的に同様であるため、同一の符号を付して説明を省略する。加入者宅内システム１０２ａでは、通信制御装置１２２と通信装置２１との間にルータ２８が設けられている。通信装置２１とルータ２８、ルータ２８と通信制御装置１２２は、ツイストペアケーブル１２５ｂ，１２５ａにより、それぞれ接続されている。通信装置２１、端末装置２３、警報端末装置２４、ツイストペアケーブル２６、ケーブル２７は、図１と実質的に同様であるため、同一の符号を付して説明を省略する。
【００６５】
通信制御装置１２２は、Ｉ／Ｆ１２２ａと、Ｉ／Ｆ１２２ｂと、Ｉ／Ｆ１２２ｃと、通信制御部１２２ｄとから構成される。Ｉ／Ｆ１２２ａは、ＩＰ通信網５等のネットワーク側に接続する。具体的には、Ｉ／Ｆ１２２ａは、ルータ２８に接続する。又、Ｉ／Ｆ１２２ａは、通信制御部１２２ｄに接続する。そして、Ｉ／Ｆ１２２ａは、通信制御部１２２ｄから、端末装置２３や通信制御装置１２２がサーバ６に送信する信号を取得し、ルータ２８に伝送する。又、Ｉ／Ｆ１２２ａは、サーバ６から送信され、ルータ２８から転送される信号を取得し、通信制御部１２２ｄに伝送する。Ｉ／Ｆ１２２ｂ、Ｉ／Ｆ１２２ｃは、図１に示すＩ／Ｆ２２ｂ、Ｉ／Ｆ２２ｃと実質的に同様である。
【００６６】
又、通信制御部１２２ｄも、図１に示す通信制御部２２ｄと実質的に同様である。そのため、通信制御部１２２ｄは、図１０に示すように、端末装置２３が実際に外されている加入者宅内システム１０２ｂを備える通信システム１０１ｂのような状態や、実質的に端末装置２３が通信制御装置２２に接続されていない状態と、Ｉ／Ｆ１２２ｂに端末装置２３が接続されている状態とを、自動的に判別する接続状況自動判別機能を持つ。又、通信制御部１２２ｄは、なりすましモード、ＩＰ取得モードでの通信の制御、モード切り替えを行うこともできる。又、通信制御部１２２ｄは、接続手順自動判別機能を備え、接続手順を制御することもできる。
【００６７】
〔変更例３〕
図１１は、加入者宅内システム２０２を備える通信システム２０１である。通信システム２０１のネットワーク側の構成は、図１と実質的に同様であるため、同一の符号を付して説明を省略する。加入者宅内システム２０２では、通信装置２１が、ルータ２２８に接続している。又、端末装置２２３と通信制御装置２２２が、それぞれ独立にルータ２２８に接続している。通信装置２１とルータ２２８、ルータ２２８と通信制御装置２２２、ルータ２２８と端末装置２２３は、ツイストペアケーブル２２５ｂ，２２５ａ，２２５ｃにより、それぞれ接続されている。通信装置２１、警報端末装置２４、ケーブル２７は、図１と実質的に同様であるため、同一の符号を付して説明を省略する。又、端末装置２２３は、ルータ２２８に接続している以外は、図１の端末装置２３と実質的に同様である。
【００６８】
通信制御装置２２２は、Ｉ／Ｆ２２２ａと、Ｉ／Ｆ２２２ｃと、通信制御部２２２ｄとから構成される。Ｉ／Ｆ２２２ａは、ＩＰ通信網５等のネットワーク側に接続する。具体的には、Ｉ／Ｆ２２２ａは、ルータ２２８に接続する。又、Ｉ／Ｆ２２２ａは、通信制御部２２２ｄに接続する。そして、Ｉ／Ｆ２２２ａは、通信制御部２２２ｄから、通信制御装置２２２がサーバ６に送信する信号を取得し、ルータ２２８に伝送する。又、Ｉ／Ｆ２２２ａは、サーバ６から送信され、ルータ２２８から転送される信号を取得し、通信制御部２２２ｄに伝送する。Ｉ／Ｆ２２２ｃは、図１に示すＩ／Ｆ２２ｃと実質的に同様である。
【００６９】
又、通信制御装置２２２は、図１や図９に示す通信制御装置２２，１２２と異なり、端末装置が接続されていない。そのため、通信制御部２２２ｄは、接続状況自動判別機能やモード切り替えの機能を備えなくてもよい。但し、通信制御部２２２ｄは、通信制御部２２ｄや１２２ｄと同様に、ＩＰ取得モードでの通信の制御を行うことができる。又、通信制御部２２２ｄは、通信制御部２２ｄや１２２ｄと同様に、接続手順自動判別機能を備え、接続手順を制御することもできる。又、通信制御部２２ｄは、端末装置２２３とサーバ６がリンクを確立しているかの監視も行う。
【００７０】
【発明の効果】
以上説明したように、本発明によれば、通信制御装置の環境を判別し、それに応じた通信の制御を行うことのできる通信制御装置を提供することができる。
【図面の簡単な説明】
【図１】本発明の実施の形態に係る通信システムの構成を示す図である。
【図２】本発明の実施の形態に係る端末装置が接続されていない通信システムの構成を示す図である。
【図３】本発明の実施の形態に係る通信装置と、通信制御装置と、端末装置との接続状態を示す図である。
【図４】本発明の実施の形態に係るＰＰＰｏＥのディスカバリステージを示すシーケンス図である。
【図５】本発明の実施の形態に係る接続手順自動判別機能を説明する図である。
【図６】本発明の実施の形態に係る他の接続手順自動判別機能を説明する図である。
【図７】本発明の実施の形態に係る通信制御装置が使用する制御情報を決定する手順を示すフロー図である。
【図８】本発明の実施の形態に係る接続手順、認証手順の決定から通信開始までの手順を示すフロー図である。
【図９】本発明の変更例２に係る通信システムの構成を示す図である。
【図１０】本発明の変更例２に係る端末装置が接続されていない通信システムの構成を示す図である。
【図１１】本発明の変更例３に係る通信システムの構成を示す図である。
【符号の説明】
１ａ，１ｂ，１０１ａ，１０１ｂ，２０１　通信システム
２ａ，２ｂ，１０２ａ，１０２ｂ，２０２　加入者宅内システム
３　回線
４　回線収容装置
５　ＩＰ通信網
６　サーバ
７ａ，７ｂ，９ａ，９ｂ　ＴＤ信号
７ｃ，８ｃ　リンクパルス
８ａ，８ｂ，１０ａ，１０ｂ　ＲＤ信号
２１　通信装置
２２，１２２，２２２　通信制御装置
２２ａ，２２ｂ，２２ｃ，２３ａ，１２２ａ，１２２ｂ，１２２ｃ，２２２ａ，２２２ｃ　Ｉ／Ｆ
２２ｄ，１２２ｄ，２２２ｄ　通信制御部
２３，２２３　端末装置
２４　警報端末装置
２５，２６，１２５ａ，１２５ｂ，２２５ａ，２２５ｂ，２２５ｃ　ツイストペアケーブル
２７　ケーブル
２８，２２８　ルータ
２２１ａ，２２１ｂ，２３１　ＴＤ＋回路
２２２ａ，２２２ｂ，２３２　ＴＤ−回路
２２３ａ，２２３ｂ，２３３　ＲＤ＋回路
２２４ａ，２２４ｂ，２３４　ＲＤ−回路
【図１】
2004048504.tif 000003
【図２】
2004048504.tif 000004
【図３】
2004048504.tif 000005
【図４】
2004048504.tif 000006
【図５】
2004048504.tif 000007
【図６】
2004048504.tif 000008
【図７】
2004048504.tif 000009
【図８】
2004048504.tif 000010
【図９】
2004048504.tif 000011
【図１０】
2004048504.tif 000012
【図１１】
2004048504.tif 000013